(57)【要約】【課題】簡素な構成であってスタンドとして使用しないときの持ち運び易さとスタンドとして使用するときの使い易さとの双方を兼ね備えた機器用スタンドを提供する。【解決手段】機器用スタンド１を、左右に延在する板形状を有し、左右を互いに近づける方向に力を加えたときに少なくとも中央部が弾性的に撓む弾性体で構成し、その機器用スタンド１の左右それぞれに、切欠き１Ａ，１Ｂを設ける。機器用スタンド１を撓ませた状態にしているときに支持対象の機器である有機ＥＬ−ＴＶ１０の底縁部が差し込まれたときには有機ＥＬ−ＴＶ１０の底縁部を支持して有機ＥＬ−ＴＶ１０を立てた状態に保つ。【選択図】図４
2009224880.tif 000002
【特許請求の範囲】
【請求項１】
略板形状の機器の底縁部を支持して該機器を立てた状態に保つ機器用スタンドであって、
左右に延在する板形状を有し、左右を互いに近づける方向に力を加えたときに少なくとも中央部が弾性的に撓む弾性体からなり、左右それぞれに、撓ませた状態のまま支持対象の機器の底縁部が差し込まれる切欠部を有することを特徴とする機器用スタンド。
【請求項２】
前記切欠部は上側ほど左右内側に傾いた切欠きからなることを特徴とする請求項１記載の機器用スタンド。
【請求項３】
当該機器用スタンドは、少なくとも表面がゴム質からなることを特徴とする請求項１又は２記載の機器用スタンド。
【請求項４】
当該機器用スタンドは、表示画面を有する機器を立てた状態に支持するものであることを特徴とする請求項１から３のうちのいずれか１項記載の機器用スタンド。
【請求項５】
当該機器用スタンドは、略板形状であって、左右両端部と比べ中央部寄りほど薄肉に形成された底縁部を有する機器を立てた状態に支持するものであることを特徴とする請求項１から４のうちのいずれか１項記載の機器用スタンド。
【発明の詳細な説明】
【技術分野】
【０００１】
本発明は、略板形状の機器の底縁部を支持してその機器を立てた状態に保つ機器用スタンドに関する。
【背景技術】
【０００２】
近年においては携帯電話機を初めとする携帯機器の普及が目覚ましい。最近では、携帯が可能な薄型テレビや動画再生が可能なｉＰｏｄ（登録商標）のような表示画面を備えた携帯機器も市場を賑わせてきている。
【０００３】
ところでこれらの携帯機器は、携帯の利便性が重視されて携帯に便利なように略板形状に形成されているものが多い。このため、これらの携帯機器においては携帯時以外のことについてのことがあまり考えられておらず、それらの機器を携帯しないときには机の上等に寝かせた状態にして置かれるものが多い。そこで、特許文献１、２等には、ユーザがこれらの機器を使用しないときにもこれらの機器を置いた状態で活用することができるようにするためのスタンドに関する技術が提案されている。また、携帯機器に関するものではないが、スタンドについては薄型テレビなどの略板形状の室内機器にスタンド部材を設ける技術や壁掛けと卓上用とに兼用することができるようにする技術等も提案されている（例えば特許文献３、４参照）。
【０００４】
ここで上記のような携帯機器の機器用スタンドにおいては、上記特許文献１等にあるように、機器用のスタンドを鞄やポケット等に簡単に収納することができるようにしておいて、列車等に乗ったときやホテルにいるとき等にそのスタンドを取り出して携帯機器をそのスタンドに簡単に取り付けることができる構成にしておくと便利である。そうすると、ユーザはその携帯機器を手に持って使用するとき以外は、スタンドに携帯機器を載せた状態にして音楽等を聴いたり、表示画面を見たりすることができる。
【０００５】
しかし、上記特許文献１のものでは、部品点数が多く構成がやや複雑になるという問題がある。そこで、特許文献２のように携帯機器の表示画面等を保護する保護カバーを、肉厚の薄い軟質の材料で形成してその保護カバーにスタンド機能を持たせるようなことが考えられている。しかし、携帯機器に保護カバーを取り付けるのにファスナーを開閉して携帯機器に取り付けるというのは如何にも面倒である。
【特許文献１】特開２００３−３３８８６２号公報
【特許文献２】特開平７−２８８５６７号公報
【特許文献３】特開２００６−１７３８４７号公報
【特許文献４】特開平６−３００８７２号公報
【発明の開示】
【発明が解決しようとする課題】
【０００６】
本発明は、上記事情に鑑み、簡素な構成であってスタンドとして使用しないときの持ち運び易さとスタンドとして使用するときの使い易さとの双方を兼ね備えた機器用スタンドを提供することを目的とする。
【課題を解決するための手段】
【０００７】
上記目的を達成する本発明の機器用スタンドは、略板形状の機器の底縁部を支持して該機器を立てた状態に保つ機器用スタンドであって、
左右に延在する板形状を有し、左右を互いに近づける方向に力を加えたときに少なくとも中央部が弾性的に撓む弾性体からなり、左右それぞれに、撓ませた状態のまま支持対象の機器の底縁部が差し込まれる切欠部を有することを特徴とする。
【０００８】
上記本発明の機器用スタンドは、左右に延在する板形状のものであるので、ユーザはこの機器用スタンドを使わないときにはその板形状の機器用スタンドを手に持つか、あるいは鞄等に入れて簡単に持ち運ぶことができる。
【０００９】
また、この機器用スタンドを使用するときには、ユーザはその左右に延材する板形状の機器用スタンドを、その板状の部材を左右を互いに近づける方向に力を加えて撓ませることでスタンドとしての機能を簡単に発揮させることができる。
【００１０】
すなわち、スタンドとして使用しないときの持ち運び易さとスタンドとして使用するときの使い易さとを兼ね備えた機器用スタンドが実現する。
【００１１】
ここで、上記切欠部は上側ほど左右内側に傾いた切欠きからなることが好ましい。
【００１２】
そうすると、その傾いた切欠の傾斜に応じて上記略板形状の機器の表側の面を斜め上向きに支持することができる。
【００１３】
また、当該機器用スタンドは、少なくとも表面がゴム質からなることが好ましい。
【００１４】
当該機器用スタンドは、すべてがゴム質からなるものであっても良く、また金属性の板バネ等がゴム材で覆われたものであって良い。いずれにしても表面がゴム質であれば機器側に傷を付けることがない。
【００１５】
また、当該機器用スタンドは、表示画面を有する機器を立てた状態に支持するものであることが好ましい。
【００１６】
ユーザが当該機器用スタンドに、例えば表示画面を有する携帯機器をセットすると、表示画面が所定の角度を持って傾いてセットされてユーザにとって表示画面が見易くなるという効果が得られる。なお、このときの傾きは１５度以上であることが望ましく、この１５度以上の傾きがあると、ユーザによって当該機器用スタンドに表示画面を有する機器がセットされたときの表示画面の位置がユーザの目線に対してちょうど良い角度になって非常に見易くなるという効果が得られる。
【００１７】
また、当該機器用スタンドは、略板形状であって、左右両端部と比べ中央部寄りほど薄肉に形成された底縁部を有する機器を立てた状態に支持するものであることが好ましい。
【００１８】
例えば当該機器用スタンドの上記切欠きの幅を、機器側の薄肉に形成された部分にのみ対応する幅に調整しておくと、機器の底縁部を差し込む位置が自然と規制されて機器の姿勢がいつも同じように定められるようになる。
【００１９】
つまり、ユーザは特に意識しなくても、対象機器の底縁部の薄肉部の所定の箇所を切欠部に差し込むという行為を行なうだけで、当該機器用スタンドに、その対象機器の底縁部の所定の位置を支持させることができる。
【発明の効果】
【００２０】
本発明によれば、持ち運び易さとスタンドとして使うときの使い易さとを兼ね備えた機器用スタンドが実現する。
【発明を実施するための最良の形態】
【００２１】
以下、図を参照して本発明の実施の形態を説明する。
【００２２】
図１は、本発明の機器用スタンド１の一実施形態を示す図である。
【００２３】
図１には、機器用スタンド１の構造を示す図が示されている。
【００２４】
また、図２、図３、図４は、図１の機器用スタンドに支持対象の機器の一例となる有機ＥＬ−ＴＶが置かれた状態を示す図である。図２には、有機ＥＬ−ＴＶ１０が機器用スタンド１に置かれた状態を正面斜め上方から見た図が示され、図３には、有機ＥＬ−ＴＶが機器用スタンドに置かれた状態を背面斜め上方から見た図が示され、図４には、側方斜め上方から見た図が示されている。
【００２５】
さらに図５には、図２において機器用スタンド１が見える部分を拡大した図が示されており、図６には、図４において機器用スタンド１が見える部分を拡大した図が示されている。
【００２６】
図２から図６に示すように、図１に示す機器用スタンド１は、略板形状の携帯機器の一例となる有機ＥＬ−ＴＶ１０の底縁部を支持して有機ＥＬ−ＴＶ１０を立てた状態に保つ機器用スタンド１であって、左右に延在する板形状を有し、左右を互いに近づける方向に力を加えたときに少なくとも中央部が弾性的に撓む弾性体からなり、左右それぞれに、撓ませた状態のまま有機ＥＬ−ＴＶ１０の底縁部が差し込まれる切欠き１Ａ，１Ｂを有するものである。この例では、機器用スタンドをできるだけ撓ませ易くするために機器用スタンド１すべてをゴム質で構成した場合の例が示されている。なお、この機器用スタンドは、板バネ状の金属部材を覆うように表面にのみゴム質が設けられているような構成のものであっても良い。
【００２７】
図１に示す様に、その機器用スタンド１の左右の切欠き１Ａ，１Ｂは、それぞれ、上側ほど左右内側に傾いた切欠きからなり、図２〜図６に示す様に有機ＥＬ−ＴＶ１０が差し込まれたときにはその有機ＥＬ−ＴＶ１０を支持してその有機ＥＬ−ＴＶを傾けた状態に保つものである。このように機器用スタンド１が有機ＥＬ−ＴＶ１０を傾けた状態に保つ構成であると、有機ＥＬ−ＴＶ１０の表示画面がユーザに対して見易い角度にセットされる。
【００２８】
この図１に示す機器用スタンド１は、板形状の部材であってユーザが手に持って持ち運んだり、鞄などの中に入れて簡単に持ち運ぶことができる。このため、ユーザが列車や滞在先のホテルの中などで使用するときには、その機器用スタンド１を鞄の中等から取り出して片手で撓ませ撓ませた状態のスタンドの切欠き１Ａ，１Ｂに、有機ＥＬ−ＴＶ１０をもう一方の手で差し込むという行為を行なうことで図２〜図６に示す様に有機ＥＬ−ＴＶ１０を機器用スタンド１に簡単にセットすることができる。
【００２９】
つまり、本実施形態の機器用スタンド１は、板形状であるので非使用時にはユーザが簡単に持ち運ぶことができ、使用時にはユーザが片手で撓ませて机の上等にこの機器用スタンド１をセットしながらもう一方の手で、上記有機ＥＬ−ＴＶのような携帯機器を切欠部１Ａ，１Ｂに差し込むという簡単な行為を行なうことで本実施形態の機器用スタンド１にスタンド機能を発揮させることができる。本実施形態では、このスタンド機能を発揮させるにあたって、携帯機器である有機ＥＬ−ＴＶ１０が表示画面を備えるものであるということを考慮して上側ほど左右内側に傾いた切欠き１Ａ，１Ｂを形成してその切欠き１Ａ，１Ｂに傾斜を持たせることで有機ＥＬ−ＴＶ１０が備える表示画面をユーザーに対して見易い角度にセットすることができるようにしている。
【００３０】
以上説明した様に、持ち運び易さとスタンドとして使うときの使い易さとを兼ね備えた機器用スタンドが実現する。
【００３１】
ここで、本実施形態において本出願人は、機器用スタンド１を、略板形状の有機ＥＬ−ＴＶ１０の底縁部を左右両端部と比べ中央部寄りほど薄肉に形成したものとペアで使うことで機器用スタンド１の機能をさらに高めることができるようにしている。
【００３２】
図７は、本出願人が図１の機器用スタンドの機能をより高めるために製作した有機ＥＬ−ＴＶ１０Ａの構造を示す図である。図３（ａ）にはその有機ＥＬ−ＴＶ１０Ａを上方から見た図が示され、図７（ｂ）に有機ＥＬ−ＴＶ１０Ａを斜め上方から見た斜視図が示され、図７（ｃ）には、図７（ａ）のＸ−Ｘ矢視図が示され、図７（ｄ）には有機ＥＬ−ＴＶの正面図が示されている。
【００３３】
図７（ａ）〜図７（ｄ）に示す有機ＥＬ−ＴＶ１０Ａは、底縁部１０Ａ１がその中央部に寄れば寄るほど左右両端部に比べて薄肉に形成されている。
【００３４】
この図７の様に有機ＥＬ−ＴＶ１０の底縁部１０Ａ１を左右両端部と比べ中央部寄りほど薄肉に形成しておき、さらに図１に示す機器用スタンド１の切欠部１Ａ，１Ｂの幅を、その薄肉に形成された底縁部１０Ａ１のうちのいずれかの部分を斜めに横切る寸法に対応する寸法にしておくと、ユーザは有機ＥＬ−ＴＶ１０の底縁部１０Ａ１を多少左右に動かしながら切欠き１Ａ，１Ｂに差し込むことができる箇所を探して薄肉に形成された底縁部１０Ａ１の所定の箇所を切欠き１Ａ，１Ｂに差し込むことができる。
【００３５】
前述した様に本実施形態においては、機器用スタンド１をゴム質で構成することで、有機ＥＬ−ＴＶ１０が切欠き１Ａ，１Ｂに差し込まれるときの力をそのゴム質の持つ弾性力によって機器用スタンドに吸収させるとともに、有機ＥＬ−ＴＶ１０が切欠き１Ａ，１Ｂに差し込まれた後においてはゴム質の持つ反発力を利用して有機ＥＬ−ＴＶ１０の底縁部の所定の箇所を機器用スタンド１に支持させることによって有機ＥＬ−ＴＶ１０を所定の姿勢に保つことができるようにしている。
【００３６】
このようにすると、ユーザは特に意識することなく機器用スタンド１の切欠部１Ａ，１Ｂに有機ＥＬ−ＴＶ１をセットするという簡単な行為を行なうだけで、有機ＥＬ−ＴＶをいつも同じ姿勢になるようにセットすることができる。また機器用スタンド１の材質がゴム質であると、ユーザが機器用スタンド１の切欠き１Ａ，１Ｂに有機ＥＬ−ＴＶ１０Ａを差し込むときに有機ＥＬ−ＴＶ１０を多少左右に動かしても有機ＥＬ−ＴＶ１０Ａの底縁部１０Ａ１に傷を付けることがない。
【００３７】
言い換えれば、機器用スタンド１の材質がゴム質であって弾性力があると、有機ＥＬ−ＴＶ１０Ａの底縁部１０Ａ１が機器用スタンド１の切欠き１Ａ，１ＡＢに差し込まれるときにユーザによって力任せに有機ＥＬ−ＴＶ１０Ａが差し込まれるようなことがあってもその力がゴム質が持つ弾性力によってユーザの力任せの力が効果的に吸収され、さらに有機ＥＬ−ＴＶ１０が機器用スタンド１に差し込まれた後にあってはゴム質の反発力によって有機ＥＬ−ＴＶ１０Ａが機器用スタンド１の撓み姿勢に応じて自然と所定の姿勢になってセットされるという効果が得られるということになる。
【００３８】
なお、切欠部１Ａ，１Ｂを上側ほど左右内側に傾いた状態にするにあたっては有機ＥＬ−ＴＶ１０Ａが１５度以上傾くような切欠形状にしておくと良い。そうすると有機ＥＬ−ＴＶ１０Ａが機器用スタンド１にセットされた後の表示画面が非常に見易くなる。
【００３９】
すなわち、ユーザが撓ませた状態にして有機ＥＬ−ＴＶ１０Ａをセットするだけで、ユーザは特別な操作をしなくてもいつでも同じ様に有機ＥＬ−ＴＶ１０が所定の角度傾いた状態にセットされる、使い勝手の良い機器用スタンドが実現する。
【００４０】
ここで、ユーザが板状の機器用スタンド１を撓ませるのが容易であるとはいっても、使う度に一々ユーザに撓ませる行為を行なわせるのは多少面倒なので、機器用スタンドにもう一つ切欠を設けてその切欠に補助部材２を差し込んで機器用スタンドの姿勢を撓んだ状態に維持することができる構成にすると、ユーザの負担を軽減することができる。
【００４１】
図８は、機器用スタンド１Ｐに設けた一対の切欠１ＰＡ，１ＰＢとその一対の切欠１ＰＡ，１ＰＢに差し込まれる補助部材２を示す図である。
【００４２】
図８に示すように機器用スタンド１Ｐを撓ませたときに一対の切欠１ＰＡ，１ＰＢに補助部材２を差し込む構成にすると、ユーザが機器用スタンド１Ｐを撓ませるのが最初の一回だけで済み、後の使用時には機器用スタンド１Ｐを撓ませる必要がなくなってユーザの負担が軽減されるという効果が得られる。こうして高々補助部材２を一つ加えても持ち運ぶのは容易い。
【００４３】
ここで、機器用スタンド１を携帯機器と共に持ち運ぶことを考えると、携帯機器に機器用スタンドを結び付けることができるような構成にしておくと便利である。
【００４４】
図９は、機器用スタンド１Ｓに携帯機器に結びつけるためのストラップＳを設けた構成を示す図である。
【００４５】
機器用スタンド１ＳにストラップＳを設けてそのストラップＳを有機ＥＬ−ＴＶ１０の背面のストラップ接続部１０Ｓに引っ掛けて結び付けることができる構成にしておくと良い。
【００４６】
こうしてストラップＳを使って携帯機器である有機ＥＬ−ＴＶ１０に機器用スタンド１Ｓを結び付けることができるようにすると、携帯機器とともに機器用スタンドを持ち運ぶことができる。また機器用スタンド１Ｓをなくすようなことが防止され、使いたいときにはすぐに使用することができるという効果も得られる。
【００４７】
図１０は、別の実施形態を示す図である。
【００４８】
図１の例では、機器用スタンドの厚みを同じ長さにしたが、図１０のように機器用スタンドの中央の湾曲部１Ｍ１の部分の厚みを薄くしてそれ以外のところ厚くしても良い。そうすると中央部の湾曲部１Ｍ１の部分が曲げ易くなるとともに、支持する部分には相応の強度が得られる。
【００４９】
また、機器用スタンドすべてをゴム質にせずに中央部分のみをゴム質にしてそれ以外を他の材料（金属板、樹脂板等）で構成しても良い。
【００５０】
また、前述のｉＰｏｄ（登録商標）を置くことができる、図１のものよりももっと小型の機器用スタンド１Ｋを構成しても良い。
【００５１】
図１１は、ｉＰｏｄ（登録商標）３を置くための機器用スタンド１Ｋを示す図である。
【００５２】
ｉＰｏｄ（登録商標）の場合には図１の有機ＥＬ−ＴＶ用よりも一回り小さい機器用スタンドになる。このように本発明の機器用スタンドは、有機ＥＬ−ＴＶよりも一回り小さいｉＰｏｄ（登録商標）のような携帯機器にも適用される。
【図面の簡単な説明】
【００５３】
【図１】本発明の機器用スタンド１の一実施形態を示す図である。
【図２】有機ＥＬ−ＴＶ１０が機器用スタンド１に置かれた状態を正面斜め上方から見た図である。
【図３】有機ＥＬ−ＴＶが機器用スタンドに置かれた状態を背面斜め上方から見た図である。
【図４】有機ＥＬ−ＴＶが機器用スタンドに置かれた状態を側方斜め上方から見た図である。
【図５】図２において機器用スタンド１が見える部分を拡大した図である。
【図６】図４において機器用スタンド１が見える部分を拡大した図である。
【図７】本出願人が図１の機器用スタンドの機能をより高めるために製作した有機ＥＬ−ＴＶ１０Ａの構造を示す図である。
【図８】機器用スタンド１Ｐに設けた一対の切欠１ＰＡ，１ＰＢとその一対の切欠１ＰＡ，１ＰＢに差し込まれる補助部材２を示す図である。
【図９】機器用スタンド１ＳにストラップＳを設けた構成を示す図である。
【図１０】別の実施形態を示す図である。
【図１１】ｉＰｏｄ（登録商標）３を置くための機器用スタンド１Ｋを示す図である。
【符号の説明】
【００５４】
１  １Ｐ  １Ｍ  １Ｋ  機器用スタンド
１Ａ  １Ｂ  １ＰＡ  １ＰＢ    切欠き
１０  １０Ａ  １０Ｓ  有機ＥＬ−ＴＶ
１０Ａ１    底縁部
２    補助部材
Ｓ    ストラップ
３    ｉＰｏｄ（登録商標）
【図１】
2009224880.tif 000003
【図２】
2009224880.tif 000004
【図３】
2009224880.tif 000005
【図４】
2009224880.tif 000006
【図５】
2009224880.tif 000007
【図６】
2009224880.tif 000008
【図７】
2009224880.tif 000009
【図８】
2009224880.tif 000010
【図９】
2009224880.tif 000011
【図１０】
2009224880.tif 000012
【図１１】
2009224880.tif 000013